(57)【要約】【課題】ディジタルＸ線装置の画像処理システムにおけるパラメータ調整の自動最適化方法を提供する。【解決手段】画像データＢに少なくとも１つの画像処理モジュールＡiにより少なくとも１つのパラメータｐijaktに関係して所定の修正が行われ、１つ又は各パラメータｐijaktが、標準パラメータセットｐstdにより初期化され利用者固有に変更可能な現在のパラメータセットｐaktから画像処理モジュールＡiに導かれ、現在のパラメータセットｐaktの変更が肯定されたとき、変更された現在のパラメータセットｐaktのコピーが保管され、１つ又は複数の保管されたコピーｐNr.kに基いて最適化されたパラメータセット<ｐNr.k>が決定され、標準パラメータセットｐaktが最適化されたパラメータセット<ｐNr.k>に合わせられる。【選択図】図３
2004358245.tif 000002
【特許請求の範囲】
【請求項１】
画像データ（Ｂ）に少なくとも１つの画像処理モジュール（Ａi）により少なくとも１つのパラメータ（ｐijakt）に関係して所定の修正が行われ、
１つ又は各パラメータ（ｐijakt）が、標準パラメータセット（ｐstd）により初期化され利用者固有に変更可能な現在のパラメータセット（ｐakt）から画像処理モジュール（Ａi）に導かれ、
現在のパラメータセット（ｐakt）の変更が肯定されたとき、変更された現在のパラメータセット（ｐakt）のコピーが保管され、
１つ又は複数の保管されたコピー（ｐNr.k）に基いて最適化されたパラメータセット（<ｐNr.k>）が決定され、
標準パラメータセット（ｐstd）が最適化されたパラメータセット（<ｐNr.k>）に合わせられる
ことを特徴とするディジタルＸ線像の画像処理方法。
【請求項２】
最適化されたパラメータセット（<ｐNr.k>）が複数の保管されたコピー（ｐNr.k）のパラメータ固有の平均値から決定されることを特徴とする請求項１記載の方法。
【請求項３】
変更された現在のパラメータセット（ｐakt）の肯定が修正された画像データ（Ｂ）の保証によって作動せしめられることを特徴とする請求項１又は２記載の方法。
【請求項４】
標準パラメータセット（ｐstd）の適合が、保管されたコピー（ｐNr.k）の数が所定のしきい値に達したとき行われることを特徴とする請求項１〜３のいずれか１つに記載の方法。
【請求項５】
種々の器官の撮影のため、種々の投影のため、及び種々のジェネレータ調整のため、又はそのいずれか一つのため、異なる標準パラメータセットが保管され、変更された現在のパラメータセット（ｐakt）のコピー（ｐNr.k）が別々に所属の撮影された器官及び所属の撮影場所及び所属のジェネレータ調整に応じて引き込まれることを特徴とする請求項１〜４のいずれか１つに記載の方法。
【請求項６】
少なくとも二人の利用者のため異なる標準パラメータセット（ｐstd）が設けられ、変更された現在のパラメータセット（ｐakt）のコピー（ｐNr.k）が別々に所属の利用者に応じて引き込まれることを特徴とする請求項１〜５のいずれか１つに記載の方法。
【請求項７】
少なくとも１つのパラメータ（ｐijakt）に関係して画像データ（Ｂ）の所定の修正を行うために構成された少なくとも１つの画像処理モジュール（Ａi）と、現在のパラメータセット（ｐakt）を記憶するための中間記憶器（２７）と、中間記憶器（２７）を初期化するため標準パラメータセット（ｐstd）を有する標準記憶器（２９）と、現在のパラメータセット（ｐakt）を利用者固有に変更するための手段と、変更された現在のパラメータセット（ｐakt）の少なくとも１つのコピー（ｐNr.k）を記憶するための変更記憶器（３２）と、１つ又は各記憶されたコピー（ｐNr.k）に基いて最適化されたパラメータセット（<ｐNr.k>）を形成し標準パラメータセット（ｐNr.k）を最適化されたパラメータセット（<ｐNr.k>）に合わせるための適合モジュール（３４）とを有することを特徴とするＸ線装置（１）のための画像処理ユニット（１２）。
【請求項８】
適合モジュール（３４）が最適化されたパラメータセット（<ｐNr.k>）として複数の保管されたコピー（ｐNr.k）のパラメータ固有の平均値を決定することを特徴とする請求項７記載の画像処理準備ユニット（１２）。
【請求項９】
複数の画像処理ユニット（Ａi）が直列接続されていることを特徴とする請求項７記載の画像処理準備ユニット（１２）。
【請求項１０】
Ｘ線放射器（２）、ディジタル式Ｘ線検出器（３）及び制御・評価システム（４）を含み、制御・評価システム（４）は請求項７〜９のいずれか１つに記載の画像処理準備ユニット（１２）を含むことを特徴とするＸ線装置（１）。
【請求項１１】
Ｘ線検出器（３）がアモルファスシリコンからなる能動読み出しマトリックス（１８）を有する固体検出器であることを特徴とする請求項１０記載のＸ線装置（１）。
【発明の詳細な説明】
【技術分野】
【０００１】
本発明は、画像データに画像処理モジュールにおいて少なくとも１つのパラメータに関係して所定の修正が行われるディジタルＸ線像の画像処理のための方法に関する。さらに本発明は、上述の方法を実施するための画像処理ユニット及び画像処理ユニットを含むＸ線装置に関する。
【背景技術】
【０００２】
二三年来、ディジタルＸ線検出器が伝統的なＸ線写真術や血管心臓造影を変えている。ディジタルＸ線検出器の種々のテクノロジーは、部分的には既に長く使用され、或いは市場に売り出される直前の状態にある。これらのディジタルテクノロジーには、とりわけ、テレビカメラ又はＣＣＤカメラに基く画像増幅器カメラシステム、集積された又は外部の読み出しユニットを有する記憶膜システム、静電読み出しによるセレンベースの検出器、Ｘ線の直接又は間接変換による能動読み出しマトリックスが含まれる。
【０００３】
伝統的な、Ｘ線フィルムで動作するＸ線写真術と異なり、ディジタルＸ線装置におけるＸ線像は電子式の形で、即ち画像データの形で存在する。このことは、例えば医療用途において、検査すべき器官又は求められる病気の検査結果を特によく明らかにするため、Ｘ線像を画像スクリーン上に表示する前に電子的な画像処理の手段によって編集することを可能にする。ディジタル的な画像処理の一般に行われている方法は、例えばＸ線像のグレイ値に関係する色又は輝度の変更のための特性曲線のピクセル的使用、低域フイルタ、高域フイルタ又は中域フイルタの使用のようなフィルタ操作、周波数帯に関係するフィルタリング、コントラスト又は輝度操作（ウインドウともいう）等を含む。
【０００４】
使用可能な調整パラメータが豊富なことは、一般に、Ｘ線検出器によって与えられる同一の原画像がその視覚的印象に関して著しく異なる最終画像に編集され得ることにつながる。しかしながら、期待され且つ最適と感じられる画像印象は一般に放射線学者によって異なる。このことは、Ｘ線システムを設備する際に、Ｘ線装置から形成される最終画像をＸ線科又はかてて加えて個々の放射線学者の好みないし教則本に適合させるため、一般に画像処理に関して個々の調整が行われなければならないことに通じる。この調整プロセスは、通常Ｘ線装置の設備中に、設備を行う技術者と予定されている利用者、従って放射線学者又はその他の治療専門家との共同作業で行われるが、たいてい著しい費用と結び付いている。このことは特に、Ｘ線装置によって撮影すべき各器官（例えば胸部、腰部、腹部、頭蓋、四肢等）、各投影（側面の、前腹膜・後腹膜の、傾いた等）及び場合によってはジェネレータ調整（電圧、電流、フィルタリング、線量）に対して画像処理パラメータの異なるセットが作成されなければならないためである。ディジタルＸ線装置の設備は、特にこの複雑性に基いて、しばしばＸ線装置の持続的な運転における多くの使用者の経験値によって始めて突き当てられる時間のかかる最適化プロセスで行われる。
【発明の開示】
【発明が解決しようとする課題】
【０００５】
本発明の課題は、パラメータ調整の自動的な最適化が行われるＸ線像の画像編集のための方法を提供することにある。さらに本発明の課題は、簡単化された設備が可能な、画像処理ユニット及び画像処理ユニットを含むＸ線装置を提供することにある。
【０００６】
方法に関して上述の課題は本発明によれば特許請求の範囲の請求項１の特徴部分によって解決することができる。それに従えば、少なくとも１つのパラメータに関係して画像データの所定の修正を行う少なくとも１つの画像処理モジュールに、１つの又は各パラメータが現在のパラメータセットから導かれる。この現在のパラメータセットは、一方では保管されている標準パラメータセットから標準調整を得る。他方では、現在のパラメータセットは利用者によってＸ線像の手動による後処理において変更され得る。そのような現在のパラメータセットの利用者固有の変更が利用者により肯定されると、変更された現在のパラメータセットのコピーが方法に従い保管される。方法の自己最適化ステップにおいて、１つ又は複数のこのような保管されたコピーに基き最適化されたパラメータセットが決定され、新しい標準パラメータセットとして保管される。
【０００７】
上述の方法によれば、利用者即ちＸ線装置に従事している放射線学者の好みに標準調整を反復的に適合させることができる。即ち標準パラメータセットが利用者にとって満足のゆかない画像処理に導く限り、利用者はＸ線装置によって形成されたＸ線像を現在のパラメータセットの手動の変更によって頻繁に後処理することになる。とりわけ、上首尾の画像後処理に導いた各パラメータセットのコピーが保証され、たびたびの後処理の際対応して多くのこのようなコピーが集まることになる。この方法がその標準調整をコピーに関して最適化することによって、Ｘ線装置が継続して使用される場合には標準により利用者の期待により近い画像処理が行われる。利用者のさらなる手動による修正は、同じようにして、利用者の期待への標準調整の改善された適合に導く。それ故利用者は比較的短時間の後にＸ線像の手動後処理に対するごく僅かな動機を持つことになるだけである。それにより、変更されたパラメータセットのそれに応じて僅かなコピーが保管され、その結果標準調整は以後大幅に変更されることなく最適の状態に保持される。
【発明の効果】
【０００８】
本発明の決定的な利点は、標準調整の最適化が自動的に行われることにある。利用者はそれにより完全に個々の現在のＸ線像に専心することができ、一方標準調整の最適化は背景で行われる。Ｘ線装置の設備中の時間のかかる調整プロセスはもはや必要でない。Ｘ線装置はむしろその設備後、比較的僅かな技術的な世話を必要とするのみである。
【発明を実施するための最良の形態】
【０００９】
標準調整の最適化は、複数の保管されたコピーのパラメータ固有の平均値が決定され、新しい標準パラメータセットとして保管されることによって行われるのが好ましい。「パラメータ固有の」とは、異なるコピーの互いに対応するパラメータのみが常に平均値形成に考慮されることと解される。パラメータセットが二次元の領域又はパラメータｐij（ｉ、ｊ＝１、２、３、…）のマトリックスを含む場合には、パラメータセットに含まれるパラメータのパラメータ固有の平均値<ｐij>は式
【００１０】
【数１】
2004358245.tif 000003
【００１１】
に従い決定され、この式でｐijNr.kはパラメータセットのｋ番目のコピーに含まれるパラメータｐijに対するものであり、ｋ個（ｋ＝１、２、３、…）存在するコピーの全数にわたる和が形成される。
【００１２】
パラメータセットが関数の形で定義されたパラメータｐij(ｘ)を有する場合には、これらのパラメータのパラメータ固有の平均値<ｐij(ｘ)>は式
【００１３】
【数２】
2004358245.tif 000004
によって算出される。
【００１４】
利用者にとって方法の操作を簡単にするため、本発明をさらに発展させたものによれば、変更された現在のパラメータセットの肯定されたことが手動で後処理されるＸ線像に対する制御指令と結合されることが行われる。従って、変更された現在のパラメータセットのコピーの作成及び保管は、利用者が手動で後処理したＸ線像を保証する場合には、即ち持続的に保存する場合には、常に自動的に行われる。
【００１５】
本方法は、利用者固有の変更されたパラメータセットの十分な数が存在する場合には、常にその標準調整の最適化を有利に実施する。従って、標準パラメータセットを最適化されたパラメータセットへ合わせることは、保管されたコピーの数が所定のしきい値に達したときのみ行われる。
【００１６】
異なる医療検査のさまざまな要求を満たすために、さまざまな検査すべき器官、さまざまな投影様式、さまざまなジェネレータ調整に対する異なる標準パラメータセットが準備されるのが目的に適っている。この場合それぞれ正しい標準パラメータセットを最適化するため、この最適化にも所属の器官、所属の投影及び所属のジェネレータ調整に相応する保管されたコピーのみが考慮される。
【００１７】
さらに、利用者又は利用者のグループのプロフィールが用意される。それにより、異なる利用者又は利用者グループに対してもそれぞれ特有の標準パラメータセットが用意される。同じように、変更されたパラメータセットのコピーの保管は各利用者又は各利用者グループに応じて別々に行われる。
【００１８】
本発明による方法を実施するために適した画像処理ユニットに関して、本発明による課題は特許請求の範囲の請求項７の特徴部分により解決される。それによれば、少なくとも１つのパラメータに関係して画像データの所定の修正を行うために構成された少なくとも１つの画像処理モジュールが設けられている。この画像処理モジュールはアプリケーションソフトウエアの構成部分であるソフトウエアモジュールであるのが好ましい。しかしまた、この画像処理モジュールは、物理的ユニットの形、例えばボード又は集積回路の形で登場することもできる。１つ又は各パラメータは、中間記憶器に保管された現在のパラメータセットからの画像処理モジュールに使用される。中間記憶器の初期化のため、標準パラメータセットが保管されている標準記憶器が設けられている。さらに現在のパラメータセットの利用者固有の変更のための手段が設けられている。この手段は、キーボード又はマウスのような１つ又は複数の入力インタフェース、及び入力支援、メニュー管理のための適切なソフトウエアモジュール等を含むのが好ましい。変更された現在のパラメータセットのコピーを保管するため、画像処理ユニットは変更記憶器を含む。画像処理ユニットは最後に適合モジュールを含み、この適合モジュールは変更記憶器に保管された1つ又は各コピーに基いて最適化されたパラメータセットを作成し、これを新しい標準パラメータセットとして標準記憶器に保管するように構成されている。中間記憶器、標準記憶器及び変更記憶器は、１つ又は複数の共通に使用される記憶器媒体上、例えばコンピュータ又はハードディスクの動作メモリ上、の区画された領域であるのが好ましい。
【００１９】
適合モジュールは、最適化されたパラメータセットを作成するため、変更記憶器に保管されたコピーのパラメータ固有の平均値を式(１)及び(２)により算出するように構成されるのが有利である。
【００２０】
画像処理ユニットは、連続する画像処理に順次接続される複数の画像処理モジュールを含むのが有利であり、この画像処理モジュールは必要なパラメータに関して中間記憶器にファイルされた現在のパラメータセットを用いる。
【００２１】
上述の画像処理ユニットは、本発明によれば特許請求の範囲の請求項１０の特徴を有するＸ線装置に含まれる。このＸ線装置は特に、Ｘ線を発生するためのＸ線放射器、Ｘ線像を吸収するためのディジタルＸ線検出器を含む。このＸ線像は画像データの形で本発明による画像処理ユニットに導かれる。
【００２２】
このＸ線装置の利点は特に、その設備中に時間のかかる調整プロセスを実施しなくてよく、とりわけＸ線装置はその標準調整を自学プロセスで最適化する。最初の設備と並んで、この自学プロセスは例えば利用者交代の場合にも有利であり、とりわけＸ線装置が自動的に比較的短時間内に新しい利用者の基準値に合わせる。
【実施例】
【００２３】
次に本発明の実施例を図面について説明する。なお、各図において同等部分には同符号を付してある。
【００２４】
図１に示されるＸ線装置１は、Ｘ線放射器２、Ｘ線検出器３及び制御・評価システム４を含んでいる。Ｘ線放射器２及びＸ線検出器３には、放射方向５においてエッジフィルタ６及び散乱放射スクリーン７が間に配置されている。この場合エッジフィルタ６はＸ線放射器２により発生されたＸ線Ｒから所望の大きさの部分ビームを切り取るために用いられ、この部分ビームが検査すべき人又は検査すべき対象及び散乱放射スクリーン７を通してＸ線検出器３上に当たる。この際散乱放射スクリーン７はＸ線検出器３によって吸収されたＸ線像の質を落とす可能性のある側方の散乱Ｘ線をフェードアウトするために用いられる。
【００２５】
Ｘ線放射器２及びＸ線検出器３は台架９又は検査台の上方又は下方に調節可能に固定されている。
【００２６】
制御及び評価システム４は、Ｘ線放射器２及びＸ線検出器３又はそのいずれか一方を制御するため、並びにＸ線放射器２に対する給電電圧を発生させるための制御ユニット１０を含む。制御ユニット１０は、データ及び給電線１１を介してＸ線放射器２と接続されている。制御及び評価システム４はさらに画像処理ユニット１２を含む。画像処理ユニット１２は、画像処理ソフトウエアに加えてＸ線装置１に対する操作ソフトウエアを含むデータ処理装置１３の構成部分であるのが好ましい。データ処理装置１３は、データ及びシステムバス線１４を介して制御ユニット１０及びＸ線検出器３と接続されている。データ処理装置１３はさらに、データの入力及び出力のために周辺機器、特に画像スクリーン１５、キーボード１６及びマウス１７と接続されている。
【００２７】
図２に詳細に示されたＸ線検出器３はいわゆる固体検出器である。Ｘ線検出器３は、例えばヨウ化セシウム（CsI）からなるＸ線変換層１９で被層されたアモルファスシリコン（ａSi）からなる平面状の能動読み出しマトリックスを含む。このＸ線変換層１９において、放射方向５にぶつかったＸ線Ｒは可視光に変換され、この可視光は読み出しマトリックス１８のホトダイオード２０において電荷に変換される。この電荷は再び読み出しマトリックス１８に場所を解かれて記憶される。記憶された電荷は、図２に拡大して示された部分２１に示すように、各ホトダイオード２０に属する回路素子２３の電子的活性化２２により矢印２４の方向に概略的にのみ示された電子機器２５に読み出される。電子機器２５は読み出された電荷の増幅及びＡＤ変換によりディジタル画像データＢを発生させる。画像データＢはデータ及びシステムバス線１４を介して画像処理ユニット１２に伝達される。
【００２８】
画像処理ユニット１２は、データ処理装置１３に含まれるソフトウエアモジュールの形で構成されるのが好ましい。画像処理ユニット１２の簡単化したブロック図が図３に示されている。Ｘ線検出器３によって作られた画像データＢは、それに応じてまず入力記憶器２６に導かれる。従って入力記憶器２６は画像データＢを含み、この画像データは「原画像」Ｉ0、即ち未処理のＸ線像に相当する。入力記憶器２６から始まって、画像データＢは漸次一定の数の画像処理モジュールＡi（ｉ＝１、２、…、ｎ）に導かれ、これらのモジュールの各々は画像データＢをあらかじめ設定されたやり方で変更する。画像処理モジュールＡiにおいては、例えば画像鮮明度モジュール、フィルタモジュール（特に低域フイルタ、高域フイルタ、中域フイルタ及びそれらの組み合わせ）、コントラスト及び輝度モジュール、周波数帯に関係するフイルタモジュール又は画像データを特性曲線に関係して修正するためのモジュールが関係する。各画像処理モジュールＡiは１つ又は複数のパラメータｐij（ｉ＝１、２、…、ｎ；ｊ＝１、２、…、ｍi）によって制御される。
【００２９】
例えば、第１の画像処理モジュールＡiは輪郭強調（エッジエンハンスメント）のためのモジュールであると仮定するものとする。このモジュールＡiに属するパラメータｐ11、ｐ12、ｐ13、…として、例えばフイルタコアの大きさ、ハイパス画像の混合度合い、信号レベル、その上方（又は下方で）フイルタが作用するか抑制される等が考慮され得る。
【００３０】
各パラメータｐijは、さらに個々の数又は特性曲線ｐij(ｘ)、即ち関数関係を含むことができる。
【００３１】
すべてのパラメータｐij全体はパラメータセットＰといわれる。パラメータセットＰは、例えば二次元の領域又は個々のパラメータｐijのマトリックスとして表されるか、又はデータ処理的に取り扱われる。
【００３２】
Ｘ線装置１の運転においては、画像処理モジュールＡiに現在のパラメータセットｐaktが利用される。この現在のパラメータセットｐaktは一時的に中間記憶器２７にファイルされているのが好ましい。中間記憶器２７は適切な制御指令２８により初期化される、即ち標準パラメータセットｐstdの値を加えられ得る。他方標準パラメータセットｐstdは標準記憶器２９に保管されている。中間記憶器２７を初期化するための制御指令２８はＸ線装置１の始動時発せられる。制御指令２８は、それと同時にはっきりと、例えば利用者によるリセットキーの操作によって発することもできる。初期化後、中間記憶器２７の内容は標準記憶器２９の内容と一致する。Ｘ線装置１はそれによってその標準調整で動作する。
【００３３】
画像処理モジュールＡiによりパラメータｐijの調整に相応して修正された最終画像が出力記憶器３０に一時ファイルされ、画像スクリーン１５上に表示される。画像処理ユニット１２がその標準調節で動作する限り、即ち現在のパラメータセットｐaktが標準パラメータセットｐstdに相当する限り、出力記憶器３０にファイルされた修正画像が標準画像といわれる。そして利用者は、個々のパラメータｐijを標準調節に対して変更することによって、画像スクリーン１５に表示されたＸ線像を手動で後処理することができる。利用者はこの変更を例えばキーボード１６及び詳細は示していない操作ソフトウエアを介して実行することができる。変更された現在のパラメータセットｐaktに基いて、画像処理モジュールＡiにより、標準画像Ｉ1に対し修正された画像Ｉ2が形成され、出力記憶器３０にファイルされ、表示のため画像スクリーン１５に持ってこられる。
【００３４】
利用者がＸ線像に行った変更に満足の場合には、利用者は修正された画像Ｉ1を永続的に保存する。この保証経過は画像処理ユニット１２内で制御指令３１を生じさせ、この指令に基づいて、変更された現在のパラメータセットｐaktのコピーｐNr.k（ｋ＝１、２、…、ｋ）が作られ、変更記憶器３２にファイルされる。この経過は、利用者が修正された画像Ｉ2を保証するたびごとに繰り返される。コピーｐNr.kは変更記憶器３２に集められる。変更記憶器３２に集められたコピーｐNr.kの数Ｋが所定のしきい値に達すると、内部的に制御指令３３が出力され、この指令は画像処理ユニット１２の適合モジュール３４を能動化する。
【００３５】
適合モジュール３４はコピーｐNr.kのパラメータｐijNr.kからパラメータ固有の平均値を式(１)ないし式(２)により算出し、平均されたパラメータ<ｐijNr.k>を含む最適化されたパラメータセット<ｐNr.k>を得る。この最適化されたパラメータセット<ｐNr.k>は新しい標準パラメータセットｐstdとして標準記憶器に保管される。標準パラメータセットｐstdの上記の適合は、利用者によってもはっきりと、制御指令３３と同じ作用をする制御指令３５の取り消しによりさせることもできる。
【００３６】
標準パラメータセットｐstdの適合が行われた後、制御指令２８の新たな削除によって現在のパラメータセットｐaktの内容が能動化される。これによって他方標準画像Ｉ1が自動的に利用者の好みに適合せしめられる。
【００３７】
図４に示される画像処理ユニット１２の変形は、上述の実施例に対し、Ｘ線装置１の特殊な使用に関係して種々の標準調整が準備されるように拡張されている。それに応じて標準記憶器２９は数インデックスｌ＝１、２、３、…を有する複数の標準パラメータセット(ｐstd)lを含み、その際、検査すべき器官、Ｘ線撮影の特定の投影及び特定のジェネレータ調整に対する各個々のパラメータセット(ｐstd)lが最適化されている。それぞれ異なる標準調整を有する種々の器官は、例えば胸部、腰部、腹部、頭蓋、四肢等であり得る。即ち、異なる投影、例えば側面の、前腹膜・後腹膜の、傾いた、投影等、及びＸ線発生器の種々のジェネレータ調整が電圧及び給電電圧の電流の強さ、フィルタリング又は線量に関して異なる。さらに画像処理ユニット１２は、種々の人特有の利用者プロフィールを提供する。即ち、異なる利用者に対し異なるパラメータセット(ｐstd)lが準備される。
【００３８】
画像処理のために正しい標準パラメータセット(ｐstd)lが選択され得るようにするため、利用者は試験を実施する前に、検査すべき器官、使用される投影及びジェネレータ調整を個々に明確にし、利用者確認を示す。操作ソフトウエアはここから所属の数インデックスｌを突き止め、その数インデックスに基き所属の標準パラメータセット(ｐstd)lが確認される。
【００３９】
図４による画像処理準備ユニット１２の機能は、図３による実施例に相応する。それと異なる点は、現在のパラメータセット(ｐakt)l及びその各保管されたコピー(ｐNr.k)lが標準パラメータセット(ｐstd)lに相応して数パラメータｌに関係することだけである。
【００４０】
この場合、最適化プロセスの規則どおりの機能に対して、適合モジュール３４が平均値形成のため同じ数インデックスｌに相応するコピー(ｐNr.k)lのみを考慮することが注意されるべきことである。
【００４１】
明確にするため図５に、人の胸郭のＸ線検出器３により撮影された画像が、例として原画像Ｉ0、標準画像Ｉ1及び手動で修正された画像Ｉ2で対比されている。ここでは画像処理準備のため、特性曲線ｐ1(ｘ)により個々の画像点の階調シフトを行う処理モジュールＡ１が使用された。図中上部のグラフ３６は標準調整に対応する特性曲線ｐ1std(ｘ)を示す。下部のグラフはそれに対し手動で変更された特性曲線ｐ1akt(ｘ)を示す。
【図面の簡単な説明】
【００４２】
【図１】本発明による、Ｘ線放射器、ディジタルＸ線検出器、及び画像処理ユニットを含む制御・評価ユニットを有するＸ線装置の構成配置図である。
【図２】本発明によるＸ線検出器の斜視図である。
【図３】図１によるＸ線装置の画像処理ユニットの概略ブロック図である。
【図４】図１によるＸ線装置の画像処理ユニットの別の例の概略ブロック図である。
【図５】Ｘ線検出器によって撮影された原画像、標準パラメータセットを使用して画像処理ユニットで形成された最終画像及び利用者固有の後処理により形成された最終画像の対比図である。
【符号の説明】
【００４３】
１  Ｘ線装置
２  Ｘ線放射器
３  Ｘ線検出器
４  制御・評価システム
５  放射方向
６  エッジフイルタ
７  散乱放射スクリーン
８  人
９  台架
１０  制御ユニット
１１  データ及び給電線
１２  画像処理ユニット
１３  データ処理装置
１４  データ及びシステムバス線
１５  画像スクリーン
１６  キーボード
１７  マウス
１８  読み出しマトリックス
１９  Ｘ線変換層
２０  ホトダイオード
２１  拡大部分
２２  電子的活性化
２３  回路素子
２４  矢印
２５  電子機器
２６  入力記憶器
２７  中間記憶器
２８  制御指令
２９  標準記憶器
３０  出力記憶器
３１  制御指令
３２  変更記憶器
３３  制御指令
３４  適合モジュール
３５  制御指令
３６  グラフ
Ａi  画像処理モジュール
Ｂ  画像データ
Ｉ0  原画像
Ｉ1  標準画像
Ｉ2  修正された画像
Ｋ  数
ｌ  数インデックス
Ｐ  パラメータセット
ｐij  パラメータ
Ｒ  Ｘ線
ｐakt  現在のパラメータセット
ｐstd  標準パラメータセット
ｐNr.k  コピー
<ｐNr.k>  最適化されたパラメータセット
【図１】
2004358245.tif 000005
【図２】
2004358245.tif 000006
【図３】
2004358245.tif 000007
【図４】
2004358245.tif 000008
【図５】
2004358245.tif 000009